(57)【要約】移動局装置２は、下りリンク制御チャネル（ＰＤＣＣＨ）で、基地局装置からの下りリンク割当情報を受信する（ステップＳ１０）。次に、ステップＳ１０で受信した下りリンク割当情報に従って、下りリンク共有チャネル（ＰＤＳＣＨ）の復調・復号・巡回冗長検査（ＣＲＣ）を行なう（ステップＳ１１）。次に、ステップＳ１２の巡回冗長検査（ＣＲＣ）の結果に従い、肯定応答（ＡＣＫ）および否定応答（ＮＡＣＫ）を生成する（ステップＳ１２）。次に、下りリンク割当情報を受信した制御チャネルエレメント（ＣＣＥ）の番号のうち、最も小さい番号と、２番目に小さい番号を選択する（ステップＳ１３）。次に、選択した番号を基に、物理リソースブロック（ＰＲＢ）と時間領域における巡回シフトと直交符号系列とを送信アンテナ毎に求め、肯定応答（ＡＣＫ）、否定応答（ＮＡＣＫ）、上りリンクパイロットチャネルを符号拡散する（ステップＳ１４）。次に、符号拡散した肯定応答（ＡＣＫ）、否定応答（ＮＡＣＫ）、上りリンクパイロットチャネルを、送信アンテナ毎に求めた物理リソースブロック（ＰＲＢ）に配置し、基地局装置に対して送信する（ステップＳ１５）。これによりＬＴＥとの互換性を考慮し、できる限りＬＴＥと同一のチャネル構造を用い、移動局装置が、複数の送信アンテナから信号を送信することで、送信ダイバーシチゲインを得ることができる。
2010084901.tif 000002
【特許請求の範囲】
【請求項１】
複数の移動局装置と基地局装置とを具備する無線通信システムであって、
前記基地局装置は、データと前記データのスケジューリング結果を示す下りリンク割当情報を送信し、
前記移動局装置は、前記下りリンク割当情報を受信し、前記下りリンク割当情報を受信した、下りリンクの無線リソースを基に、拡散符号と上りリンクの無線リソースとを複数求め、それぞれの拡散符号で前記基地局装置が伝搬路を補償するために用いるパイロットシグナルを符号拡散し、前記複数の上りリンクの無線リソースで、複数の送信アンテナから送信することを特徴とする無線通信システム。
【請求項２】
前記移動局装置は、送信アンテナの数と同じ数だけ、拡散符号と上りリンクの無線リソースとを求めることを特徴とする請求項１に記載の無線通信システム。
【請求項３】
前記下りリンクの無線リソースは、前記下りリンク割当情報の割り当て単位である制御チャネルエレメントであり、
前記移動局装置は、前記下りリンク割当情報を受信した制御チャネルエレメントの番号を基に、複数の番号を選択し、前記複数の番号から求まる複数の拡散符号を用いて、伝搬路を補償するために用いるパイロットシグナルを符号拡散し、前記複数の番号から求まる無線リソースで、複数の送信アンテナから送信することを特徴とする請求項１に記載の無線通信システム。
【請求項４】
前記移動局装置は、更に、前記データの受信に対するＡＣＫ（肯定応答）／ＮＡＣＫ（否定応答）を、前記複数の番号から求まる複数の拡散符号で符号拡散し、前記複数の番号から求まる無線リソースで、複数の送信アンテナから送信することを特徴とする請求項３に記載の無線通信システム。
【請求項５】
前記拡散符号は、周波数領域に配置する第一の直交符号系列に対して、時間領域における巡回シフトと第二の直交符号系列を用いた二段階の符号拡散を行なう拡散符号であることを特徴とする請求項１から４までのいずれか１項に記載の無線通信システム。
【請求項６】
前記第二の直交符号系列を、ＡＣＫ／ＮＡＣＫに用いる場合は、系列長が４であることを特徴とする請求項５に記載の無線通信システム。
【請求項７】
前記第二の直交符号系列を、パイロットシグナルに用いる場合は、系列長が３であることを特徴とする請求項５に記載の無線通信システム。
【請求項８】
前記第一の直交符号系列の系列長は１２であり、時間領域における巡回シフトは、１２通りある中から１つを選択することを特徴とする請求項５に記載の無線通信システム。
【請求項９】
前記第一の直交符号系列は、送信アンテナ間で同一の直交符号系列を用いることを特徴とする請求項５に記載の無線通信システム。
【請求項１０】
前記第一の直交符号系列は、前半の時間領域と後半の時間領域とで、異なる直交符号系列を用いることを特徴とする請求項９に記載の無線通信システム。
【請求項１１】
前記無線リソースは、前半の時間領域と後半の時間領域で、異なる周波数領域から構成されることを特徴とする請求項３に記載の無線通信システム。
【請求項１２】
前記移動局装置は、前記下りリンク割当情報が割り当てられた制御チャネルエレメントの番号から、２つの制御チャネルエレメントの番号を選択することを特徴とする請求項３に記載の無線通信システム。
【請求項１３】
前記２つの制御チャネルエレメントの番号は、前記下りリンク割当情報が割り当てられた制御チャネルエレメントの番号のうち、最も小さい番号と、最も小さい番号より１つ大きい番号であることを特徴とする請求項１２に記載の無線通信システム。
【請求項１４】
前記基地局装置は、更に、前記下りリンク割当情報を２つ以上の制御チャネルエレメントを用いて送信し、
前記移動局装置は、更に、前記２つ以上の制御チャネルエレメントで下りリンク割当情報を監視することを特徴とする請求項３に記載の無線通信システム。
【請求項１５】
前記移動局装置は、更に、前記下りリンク割当情報を１つの制御チャネルエレメントで受信した場合、前記下りリンク割当情報を受信した制御チャネルエレメントの番号が特定の値の倍数であるか否かを判断し、該判断に基づいて、前記下りリンク割当情報を受信した制御チャネルエレメントの番号よりも１つ大きい番号を選択するか、１つ小さい値を選択するかを切り替えることを特徴とする請求項３に記載の無線通信システム。
【請求項１６】
前記移動局装置は、
前記下りリンク割当情報を受信した制御チャネルエレメントの番号が特定の倍数の場合には、前記下りリンク割当情報を受信した制御チャネルエレメントの番号と前記番号よりも１つ大きい番号を選択し、
前記下りリンク割当情報を受信した制御チャネルエレメントの番号が特定の倍数でない場合には、前記下りリンク割当情報を受信した制御チャネルエレメントの番号と前記番号よりも１つ小さい番号を選択することを特徴とする請求項１５に記載の無線通信システム。
【請求項１７】
前記特定の倍数は、２または４または８の倍数であることを特徴とする請求項１５に記載の無線通信システム。
【請求項１８】
前記基地局装置は、更に、前記拡散方法を選択するための値を前記移動局装置に通知し、
前記移動局装置は、下りリンク割当情報を受信した制御チャネルエレメントの番号を選択し、前記番号から求まる拡散符号と、通知された前記値から求まる拡散方法を用いて、パイロットシグナルを符号拡散し、複数の送信アンテナから送信することを特徴とする請求項３に記載の無線通信システム。
【請求項１９】
データと前記データのスケジューリング結果を示す下りリンク割当情報を移動局装置に送信する基地局装置であって、
前記基地局装置は、前記移動局装置が、前記下りリンク割当情報を受信した下りリンクの無線リソースを基に、複数の拡散符号と上りリンクの無線リソースを選択し、前記拡散符号各々で基地局装置が伝搬路を補償するために用いるパイロットシグナルを符号拡散し、前記複数の上りリンクの無線リソースで、複数の送信アンテナから送信したパイロットシグナルを受信し、
受信した前記パイロットシグナルを逆拡散し、移動局装置の各送信アンテナから送信されたパイロットシグナルを分離することを特徴とする移動局装置。
【請求項２０】
基地局装置が送信した、データと前記データのスケジューリング結果を示す下りリンク割当情報とを受信する移動局装置であって、
前記移動局装置は、前記下りリンク割当情報を受信した下りリンクの無線リソースを基に、複数の拡散符号と上りリンクの無線リソースとを選択し、前記拡散符号各々で基地局装置が伝搬路を補償するために用いるパイロットシグナルを符号拡散し、前記複数の上りリンクの無線リソースで、複数の送信アンテナから送信することを特徴とする移動局装置。
【請求項２１】
データと前記データのスケジューリング結果を示す下りリンク割当情報を基地局装置が移動局装置に送信する無線通信方法であって、
前記移動局装置が、前記下りリンク割当情報を受信した、下りリンクの無線リソースを基に、複数の拡散符号と上りリンクの無線リソースを選択するステップと、
前記拡散符号各々で基地局装置が伝搬路を補償するために用いるパイロットシグナルを符号拡散し、前記複数の上りリンクの無線リソースで、複数の送信アンテナから送信したパイロットシグナルを受信するステップと、
前記パイロットシグナルを逆拡散し、移動局装置の各送信アンテナから送信されたパイロットシグナルを分離するステップと、を有することを特徴とする無線通信方法。
【請求項２２】
基地局装置が送信したデータと前記データのスケジューリング結果を示す下りリンク割当情報を移動局装置が受信する無線通信方法であって、
前記移動局装置が、前記下りリンク割当情報を受信した下りリンクの無線リソースを基に、複数の拡散符号と上りリンクの無線リソースを選択するステップと、
前記拡散符号各々で基地局装置が伝搬路を補償するために用いるパイロットシグナルを符号拡散し、前記複数の上りリンクの無線リソースで、複数の送信アンテナから送信するステップと、を有することを特徴とする無線通信方法。
【請求項２３】
請求項２１又は２２に記載の無線通信方法をコンピュータに実行させるためのプログラム。
【発明の詳細な説明】
【技術分野】
【０００１】
本発明は、無線通信システム、基地局装置、移動局装置および無線通信方法に関する。
【背景技術】
【０００２】
セルラー移動通信の無線アクセス方式および無線ネットワークLong Term Evolution（ＬＴＥまたはＥＵＴＲＡ）の進化（LTE-Advanced）が第三世代パートナーシッププロジェクト（3rd Generation Partnership Project；３ＧＰＰ）において検討されている。【０００３】
LTE-Advancedでは、ＬＴＥとの互換性(compatibility)を持つ、つまり、LTE-Advancedの基地局装置が、LTE-AdvancedとＬＴＥの両方の移動局装置と通信をすることが検討されているため、できる限り同一のチャネル構造を用いることが求められている。また、ＬＴＥよりも上りリンク制御チャネルの特性を改善するために、循環遅延ダイバーシチ（Cyclic Delay Diversity；ＣＤＤ）、空間周波数ブロック符号（Space Frequency Block Code；ＳＦＢＣ）、時空間ブロック符号（Space Time Block Code；ＳＴＢＣ）などの様々な複数の送信アンテナを用いる送信ダイバーシチの導入が検討されている。【０００４】
ＬＴＥでは、下りリンクとして、マルチキャリア送信である直交周波数分割多重（Orthogonal Frequency Division Multiplexing；ＯＦＤＭ）方式が用いられる。また、ＬＴＥの上りリンクとして、シングルキャリア送信であるＤＦＴ（Discrete Fourier Transform；離散フーリエ変換）−Ｓｐｒｅａｄ  ＯＦＤＭ方式のシングルキャリア通信方式が用いられる。【０００５】
ＬＴＥにおいて、基地局装置から移動局装置への無線通信の下りリンクは、報知チャネル（Physical Broadcast Channel；ＰＢＣＨ）、下りリンク制御チャネル（Physical Downlink Control Channel；ＰＤＣＣＨ）、下りリンク共用チャネル（Physical Downlink Shared Channel；ＰＤＳＣＨ）、マルチキャストチャネル（Physical Multicast Channel；ＰＭＣＨ）、制御フォーマットインディケータチャネル（Physical Control Format Indicator Channel；ＰＣＦＩＣＨ）、ＨＡＲＱインディケータチャネル（Physical Hybrid ARQ Indicator Channel；ＰＨＩＣＨ）が用いられる。【０００６】
また、ＬＴＥにおいて、移動局装置から基地局装置への無線通信の上りリンクでは、上りリンク共用チャネル（Physical Uplink Shared Channel；ＰＵＳＣＨ）、上りリンク制御チャネル（Physical Uplink Control Channel；ＰＵＣＣＨ）、ランダムアクセスチャネル（Physical Random Access Channel；ＰＲＡＣＨ）が用いられる。ＬＴＥの上りリンク制御チャネル（ＰＵＣＣＨ）は、時間領域の巡回シフトと直交符号系列による２段階の符号拡散を行い、多重をする。【０００７】
関連する技術文献としては、以下のものが挙げられる。
【先行技術文献】
【非特許文献】
【０００８】
【非特許文献１】3GPP TS36.211-v8.4.0(2008-09), Physical Channels and Modulation(Release 8)
【非特許文献２】3GPP TS36.213-v8.4.0(2008-09), Physical layer procedures(Release 8)
【非特許文献３】3GPP TSG RNA 1 #55, Prague, Czech Republic, 10-14 November, 2008, R1-084250 ”UL MIMO Transmission Schemes in LTE Advanced”
【発明の概要】
【発明が解決しようとする課題】
【０００９】
しかしながら、ＬＴＥでは、無線リソースと時間領域の巡回シフトと直交符号系列を一組選択し、上りリンク制御チャネル（ＰＵＣＣＨ）を符号拡散し、送信していた。しかしながら、上りリンク制御チャネル（ＰＵＣＣＨ）に送信ダイバーシチを用いるためには、送信アンテナ毎に無線リソースと時間領域の巡回シフトと直交符号系列の組み合わせを選択する必要があるが、そのような仕組みはＬＴＥには存在しない。【００１０】
本発明の目的は、ＬＴＥに互換性（compatibility）を考慮し、できる限りＬＴＥと同一のチャネル構造を用いて、送信ダイバーシチゲインを得る無線通信システムを提供することである。
【課題を解決するための手段】
【００１１】
本発明に係る通信技術においては、移動局装置が、無線リソースと時間領域の巡回シフトと直交符号系列の組み合わせを複数選択し、選択した複数の無線リソースと時間領域の巡回シフトと直交符号系列の組み合わせを用いて信号を符号拡散し、複数の送信アンテナから信号を送信することを特徴とする。【００１２】
本発明の一観点によれば、複数の移動局装置と基地局装置とを具備する無線通信システムであって、前記基地局装置は、データと前記データのスケジューリング結果を示す下りリンク割当情報を送信し、前記移動局装置は、前記下りリンク割当情報を受信し、前記下りリンク割当情報を受信した、下りリンクの無線リソースを基に、拡散符号と上りリンクの無線リソースとを複数求め、それぞれの拡散符号で前記基地局装置が伝搬路を補償するために用いるパイロットシグナルを符号拡散し、前記複数の上りリンクの無線リソースで、複数の送信アンテナから送信することを特徴とする無線通信システムが提供される。前記移動局装置は、送信アンテナの数と同じ数だけ、拡散符号と上りリンクの無線リソースとを求めることが好ましい。これにより、拡散符号と上りリンクの無線リソースとを複数求めることができる。【００１３】
前記下りリンクの無線リソースは、前記下りリンク割当情報の割り当て単位である制御チャネルエレメントであり、前記移動局装置は、前記下りリンク割当情報を受信した制御チャネルエレメントの番号を基に、複数の番号を選択し、前記複数の番号から求まる複数の拡散符号を用いて、伝搬路を補償するために用いるパイロットシグナルを符号拡散し、前記複数の番号から求まる無線リソースで、複数の送信アンテナから送信することが好ましい。この際、前記移動局装置は、更に、前記データの受信に対するＡＣＫ（肯定応答）／ＮＡＣＫ（否定応答）を、前記複数の番号から求まる複数の拡散符号で符号拡散し、前記複数の番号から求まる無線リソースで、複数の送信アンテナから送信することが好ましい。また、前記拡散符号は、周波数領域に配置する第一の直交符号系列に対して、時間領域における巡回シフトと第二の直交符号系列を用いた二段階の符号拡散を行なう拡散符号であることが好ましい。無線リソースと時間領域の巡回シフトと直交符号系列の組み合わせを複数選択し、選択した複数の無線リソースと時間領域の巡回シフトと直交符号系列の組み合わせを用いて信号を符号拡散し、複数の送信アンテナから信号を送信することで、送信ダイバーシチゲインを得ることができるようになる。【００１４】
また、前記第二の直交符号系列を、ＡＣＫ／ＮＡＣＫに用いる場合は、系列長が４であることが好ましく、前記第二の直交符号系列を、パイロットシグナルに用いる場合は、系列長が３であっても良い。前記第一の直交符号系列の系列長は１２であり、時間領域における巡回シフトは、１２通りある中から１つを選択するようにしても良い。前記第一の直交符号系列は、送信アンテナ間で同一の直交符号系列を用いるようにしても良い。【００１５】
前記移動局装置は、前記下りリンク割当情報が割り当てられた制御チャネルエレメントの番号から、２つの制御チャネルエレメントの番号を選択するようにしても良い。また、前記２つの制御チャネルエレメントの番号は、前記下りリンク割当情報が割り当てられた制御チャネルエレメントの番号のうち、最も小さい番号と、最も小さい番号より１つ大きい番号であることが好ましい。【００１６】
前記基地局装置は、更に、前記下りリンク割当情報を２つ以上の制御チャネルエレメントを用いて送信し、前記移動局装置は、更に、前記２つ以上の制御チャネルエレメントで下りリンク割当情報を監視するようにしても良い。【００１７】
前記移動局装置は、更に、前記下りリンク割当情報を１つの制御チャネルエレメントで受信した場合、前記下りリンク割当情報を受信した制御チャネルエレメントの番号が特定の値の倍数であるか否かを判断し、該判断に基づいて、前記下りリンク割当情報を受信した制御チャネルエレメントの番号よりも１つ大きい番号を選択するか、１つ小さい値を選択するかを切り替えるようにしても良い。【００１８】
上記の構成により、基地局装置が、下りリンク割当情報を配置する際の選択の自由度が、ＬＴＥと比べて（ほとんど）減らない。【００１９】
ＬＴＥでは、移動局装置はACK/NACKの無線リソースを求めるために、制御チャネルエレメントの番号を1つしか選択しなかったのに対して、本発明では、制御チャネルエレメント番号を２つ選択することを前提にする。適当に制御チャネルエレメントの番号を２つ選択してしまうと、基地局装置が下りリンク割当情報を配置できない制御チャネルエレメントができてしまうという問題があるため、この制限が、なるべくなくなるような規則で２つの番号を選ぶようにしている。【００２０】
前記移動局装置は、前記下りリンク割当情報を受信した制御チャネルエレメントの番号が特定の倍数の場合には、前記下りリンク割当情報を受信した制御チャネルエレメントの番号と前記番号よりも１つ大きい番号を選択し、前記下りリンク割当情報を受信した制御チャネルエレメントの番号が特定の倍数のでない場合には、前記下りリンク割当情報を受信した制御チャネルエレメントの番号と前記番号よりも１つ小さい番号を選択することが好ましい。尚、前記特定の倍数は、２または４または８の倍数である。【００２１】
さらに、前記基地局装置は、更に、前記拡散方法を選択するための値を前記移動局装置に通知し、前記移動局装置は、下りリンク割当情報を受信した制御チャネルエレメントの番号を選択し、前記番号から求まる拡散符号と、通知された前記値から求まる拡散方法を用いて、パイロットシグナルを符号拡散し、複数の送信アンテナから送信することが好ましい。【００２２】
本発明は、データと前記データのスケジューリング結果を示す下りリンク割当情報を移動局装置に送信する基地局装置であって、前記基地局装置は、前記移動局装置が、前記下りリンク割当情報を受信した下りリンクの無線リソースを基に、複数の拡散符号と上りリンクの無線リソースを選択し、前記拡散符号各々で基地局装置が伝搬路を補償するために用いるパイロットシグナルを符号拡散し、前記複数の上りリンクの無線リソースで、複数の送信アンテナから送信したパイロットシグナルを受信し、受信した前記パイロットシグナルを逆拡散し、移動局装置の各送信アンテナから送信されたパイロットシグナルを分離することを特徴とする移動局装置であっても良い。【００２３】
また、基地局装置が送信した、データと前記データのスケジューリング結果を示す下りリンク割当情報とを受信する移動局装置であって、前記移動局装置は、前記下りリンク割当情報を受信した下りリンクの無線リソースを基に、複数の拡散符号と上りリンクの無線リソースとを選択し、前記拡散符号各々で基地局装置が伝搬路を補償するために用いるパイロットシグナルを符号拡散し、前記複数の上りリンクの無線リソースで、複数の送信アンテナから送信することを特徴とする移動局装置であっても良い。【００２４】
本発明の他の観点によれば、データと前記データのスケジューリング結果を示す下りリンク割当情報を基地局装置が移動局装置に送信する無線通信方法であって、前記移動局装置が、前記下りリンク割当情報を受信した、下りリンクの無線リソースを基に、複数の拡散符号と上りリンクの無線リソースを選択するステップと、前記拡散符号各々で基地局装置が伝搬路を補償するために用いるパイロットシグナルを符号拡散し、前記複数の上りリンクの無線リソースで、複数の送信アンテナから送信したパイロットシグナルを受信するステップと、前記パイロットシグナルを逆拡散し、移動局装置の各送信アンテナから送信されたパイロットシグナルを分離するステップと、を有することを特徴とする無線通信方法が提供される。【００２５】
また、基地局装置が送信したデータと前記データのスケジューリング結果を示す下りリンク割当情報を移動局装置が受信する無線通信方法であって、前記移動局装置が、前記下りリンク割当情報を受信した下りリンクの無線リソースを基に、複数の拡散符号と上りリンクの無線リソースを選択するステップと、前記拡散符号各々で基地局装置が伝搬路を補償するために用いるパイロットシグナルを符号拡散し、前記複数の上りリンクの無線リソースで、複数の送信アンテナから送信するステップと、を有することを特徴とする無線通信方法が提供される。【００２６】
本発明は、上記に記載の無線通信方法をコンピュータに実行させるためのプログラムであっても良く、該プログラムを記録するコンピュータに読み取り可能な記録媒体であっても良い。該プログラムは、インターネットなどの伝送媒体によって取得するようにしても良い。【００２７】
本明細書は本願の優先権の基礎である日本国特許出願２００９−０１４５８８号の明細書および／または図面に記載される内容を包含する。
【発明の効果】
【００２８】
本発明によれば、使用周波数帯域の組合せが増加することによるスケジューリングやリソース割り当ての複雑化の影響を抑制することができる。
【図面の簡単な説明】
【００２９】
【図１】本実施形態におけるチャネルの概略構造例を示す図である。
【図２】本実施形態における下りリンク無線フレームの概略構成例を示す図である。
【図３】本実施形態における下りリンク制御チャネルの物理的な構成を説明する図である。
【図４】本実施形態における上りリンク無線フレームの概略構成例を示す図である。
【図５】本実施形態における肯定応答／否定応答と上りリンクパイロットチャネルの符号拡散について説明する図である。
【図６】本実施形態における基地局装置１の構成例を示す概略ブロック図である。
【図７】本実施形態における移動局装置２の構成例を示す概略ブロック図である。
【図８】本発明の第一の実施形態における移動局装置２の処理の流れを示すフローチャート図である。
【図９】本発明の第二の実施形態における移動局装置２の処理の流れを示すフローチャート図である。
【図１０】本発明の第三の実施形態における移動局装置２の処理の流れを示すフローチャート図である。
【符号の説明】
【００３０】
１  基地局装置
２  移動局装置
１０  変調シンボル復号部
１１  多重分離部
１２  受信処理部
１３  受信アンテナ
１４  上位層
１４１  無線リソース制御部
１５  制御部
１６  変調シンボル生成部
１７  多重部
１８  送信処理部
１９  送信アンテナ
２０  変調シンボル復号部
２１  多重分離部
２２  受信処理部
２３  受信アンテナ
２４  上位層
２４１  無線リソース制御部
２５  制御部
２６  変調シンボル生成部
２７  多重部
２８  送信処理部
２９  送信アンテナ
【発明を実施するための最良の形態】
【００３１】
以下、図面を参照し、本発明の一実施の形態による通信技術について説明する。本実施の形態による無線通信システムは、基地局装置と複数の移動局装置とを具備する。【００３２】
前述した図１は、本実施の形態による無線通信システムＡにおけるチャネルの概略構造例を示す図である。基地局装置１は、移動局装置２（図では３つの移動局装置２ａ、２ｂ、２ｃ）と無線通信を行う。本実施の形態において、基地局装置１から移動局装置２への無線通信の下りリンクは、下りリンクパイロットチャネル（下りリンクパイロットシグナル）、下りリンク制御チャネル（ＰＤＣＣＨ）、下りリンク共有チャネル（ＰＤＳＣＨ）を備える。また、本実施の形態において、移動局装置２から基地局装置１への無線通信の上りリンクは、上りリンクパイロットチャネル（上りリンクパイロットシグナル）、上りリンク制御チャネル（ＰＵＣＣＨ）および上りリンク共有チャネル（ＰＵＳＣＨ）を備える。【００３３】
（下りリンク無線フレーム）
図２は、本実施の形態による無線通信システムにおける下りリンク無線フレーム（下りリンク無線リソース）の概略構成例を示す図である。図２において、横軸は時間領域であり、縦軸は周波数領域である。図２に示すように、下りリンク無線フレームは、複数の物理リソースブロック（ＰＲＢ）ペア（図２において、太線で囲まれている単位）から構成されている。この物理リソースブロック（ＰＲＢ）ペアは、無線リソース割り当てなどを行う際の単位であり、予め決められた幅の周波数帯（ＰＲＢ帯域幅）および時間帯（２スロット＝１サブフレーム）からなる。基本的に、１物理リソースブロック（ＰＲＢ）ペアは、時間領域で連続する２個の物理リソースブロック（ＰＲＢ）（ＰＲＢ帯域幅×スロット）から構成される。【００３４】
図２に示すように、１個の物理リソースブロック（ＰＲＢ）は、周波数領域において１２個のサブキャリアから構成され、時間領域において７個のＯＦＤＭシンボルから構成されている。システム帯域幅は、基地局装置の通信帯域幅であり、複数の物理リソースブロック（ＰＲＢ）から構成される。【００３５】
時間領域においては、７個のＯＦＤＭシンボルから構成されるスロット、２個のスロットから構成されるサブフレーム、１０個のサブフレームから構成される無線フレームが定義されている。尚、１個のサブキャリアと１個のＯＦＤＭシンボルから構成されるユニット（最小単位）を、リソースエレメント（Resource Element；ＲＥ）という。また、下りリンク無線フレームには、システム帯域幅に応じて複数の物理リソースブロック（ＰＲＢ）が配置される。【００３６】
下りリンクの各サブフレームには、少なくとも、下りリンク制御チャネル（ＰＤＣＣＨ）、下りリンク共有チャネル（ＰＤＳＣＨ）、下りリンク制御チャネル（ＰＤＣＣＨ）および下りリンク共有チャネル（ＰＤＳＣＨ）の伝搬路推定に用いる下りリンクパイロットチャネルが配置される。下りリンク制御チャネル（ＰＤＣＣＨ）はサブフレームの先頭のＯＦＤＭシンボルから配置され、下りリンク共有チャネル（ＰＤＳＣＨ）は残りのＯＦＤＭシンボルに配置され、同一のＯＦＤＭシンボルにおいて下りリンク制御チャネル（ＰＤＣＣＨ）と下りリンク共有チャネル（ＰＤＳＣＨ）とは一緒に配置されない。下りリンクパイロットチャネルについては説明の簡略化のため図２において図示を省略するが、下りリンクパイロットチャネルは周波数領域と時間領域において分散して配置される。【００３７】
下りリンク共有チャネル（ＰＤＳＣＨ）では、下りリンク共有チャネル（ＰＤＳＣＨ）で送信するデータ（トランスポートブロック；Transport Block）から、予め決められた生成多項式を用いて生成する２４ｂｉｔの巡回冗長検査（以下、「ＣＲＣ（Cyclic Redundancy Check」と称す。）符号をデータに付加をしてから送信する。【００３８】
下りリンク制御チャネル（ＰＤＣＣＨ）では、上りリンク共用チャネル（ＰＵＳＣＨ）および下りリンク共有チャネル（ＰＤＳＣＨ）に対する変調方式（Modulation scheme）、符号化方式（coding scheme）、無線リソース割り当て（Resource allocation；ＲＡ）、ＨＡＲＱ情報（冗長バージョン（Redundancy version；ＲＶ）、ニューデータインディケータ（New Data Indicator；ＮＤＩ））などから構成される上りリンク割当情報（Uplink grant）および下りリンク割当情報（Downlink grant）などの下りリンク制御情報（Downlink Control information；ＤＣＩ）が送信される。下りリンク割当情報で割り当てられた下りリンク共用チャネル（ＰＤＳＣＨ）は、下りリンク割当情報と同一のサブフレームに配置される。上りリンク割当情報で割り当てられた上りリンク共用チャネル（ＰＵＳＣＨ）は、予め決められた時間後のサブフレームに配置される。また、下りリンク制御チャネル（ＰＤＣＣＨ）による上り／下りリンクの無線リソース割り当てにおいて、移動局装置は、基地局装置内で一意に識別可能な１６ビットの識別子（Radio Network Temporary Identity；ＲＮＴＩ）を用いて特定される。【００３９】
具体的には、下りリンク制御チャネル（ＰＤＳＣＨ）で送信する上りリンク割当情報、下りリンク割当情報などから予め決められた生成多項式を用いて生成する１６ｂｉｔの巡回冗長検査（ＣＲＣ）符号と識別子（ＲＮＴＩ）との排他的論理和をとったものを、上りリンク割当情報、下りリンク割当情報などに付加する。識別子（ＲＮＴＩ）は、基地局装置１と移動局装置２とが通信を開始する際に、基地局装置１が移動局装置２に対して通知する。移動局装置２は、下りリンク制御チャネル（ＰＤＣＣＨ）を受信した際に、巡回冗長検査（ＣＲＣ）符号と識別子（ＲＮＴＩ）との排他的論理和をとった情報に対して、更に、基地局装置１から割当てられた識別子（ＲＮＴＩ）で排他的論理和をとり、元の巡回冗長検査（ＣＲＣ）符号を取得してから巡回冗長検査（ＣＲＣ）を行なう。従って、自移動局装置２に割当てられていない識別子（ＲＮＴＩ）で排他的論理和をとった巡回冗長検査（ＣＲＣ）符号が付加された上りリンク割当情報や、下りリンク割当情報などは、巡回冗長検査（ＣＲＣ）でエラーとなるため、復号しない。【００４０】
（下りリンク制御チャネルの構成）
下りリンク制御チャネル（ＰＤＣＣＨ）は、複数の制御チャネルエレメント（Control Channel Element；ＣＣＥ）から構成される。制御チャネルエレメント（ＣＣＥ）は、周波数時間領域において分散している複数のリソースエレメントグループ（Resource Element Group；REGまたはｍｉｎｉ−ＣＣＥ）から構成され、リソースエレメントグループ（ＲＥＧ）は、同一ＯＦＤＭシンボル内の周波数領域において、下りリンクパイロットシグナルを除いて、連続している複数の下りリンクのリソースエレメント（ＲＥ）から構成される。制御チャネルエレメントは下りリンク制御情報（ＤＣＩ）を配置する単位である。【００４１】
図３は、本実施の形態における下りリンク制御チャネル（ＰＤＣＣＨ）の物理的な構成を説明するための図である。図３において、横軸は制御チャネルエレメント（ＣＣＥ）番号（the number of CCE）、縦軸は制御チャネルエレメント（ＣＣＥ）集合数（CCE aggregation number）である。制御チャネルエレメント（ＣＣＥ）番号は、制御チャネルエレメント（ＣＣＥ）を識別する番号である。制御チャネルエレメント（ＣＣＥ）集合（CCE aggregation）は、複数の連続する番号の制御チャネルエレメント（ＣＣＥ）から構成される。制御チャネルエレメント（ＣＣＥ）集合数は、制御チャネルエレメント（ＣＣＥ）集合を構成する、制御チャネルエレメント（ＣＣＥ）の数を示す。図３では、制御チャネルエレメント（ＣＣＥ）集合数が１と２と４と８の場合を示しており（斜線が施されている）、各制御チャネルエレメント集合に下りリンク制御情報（ＤＣＩ）を割り当てることができる。移動局装置２は、サブフレーム毎に、各制御チャネルエレメント集合の単位で、自移動局装置宛の下りリンク制御情報（ＤＣＩ）が送信されたかどうかを監視する。すなわち、移動局装置は、どの制御チャネルエレメント集合の単位を用いて自局宛の下りリンク制御情報が送信されたかを知らないため、全ての制御チャネルエレメント集合の単位で下りリンク制御情報を監視する。【００４２】
（上りリンク無線フレーム）
図４は、本実施の形態における上りリンク無線フレーム（上りリンク無線リソース）の概略構成例を示す図である。図４において、横軸は時間領域、縦軸は周波数領域である。上りリンク無線フレームは、複数の物理リソースブロック（ＰＲＢ）ペアから構成されている。この物理リソースブロック（ＰＲＢ）ペアは、無線リソース割り当てなどの単位であり、予め決められた幅の周波数帯（ＰＲＢ帯域幅）および時間帯（２スロット＝１サブフレーム）からなる。基本的に１物理リソースブロック（ＰＲＢ）ペアは時間領域で連続する２個の物理リソースブロック（ＰＲＢ）（ＰＲＢ帯域幅×スロット）から構成される。１個の物理リソースブロック（ＰＲＢ）は周波数領域において１２個のサブキャリアから構成され、時間領域において７個のＤＦＴ―Ｓｐｒｅａｄ  ＯＦＤＭシンボルから構成される。システム帯域幅は、基地局装置の通信帯域幅であり、複数の物理リソースブロック（ＰＲＢ）から構成される。時間領域上においては、７個のＤＦＴ―Ｓｐｒｅａｄ  ＯＦＤＭシンボルから構成されるスロット、２個のスロットから構成されるサブフレーム、１０個のサブフレームから構成される無線フレームが定義されている。尚、１個のサブキャリアと１個のＤＦＴ―Ｓｐｒｅａｄ  ＯＦＤＭシンボルから構成されるユニットを、リソースエレメントと呼ぶ。また、上りリンク無線フレームには、システム帯域幅に応じて複数の物理リソースブロック（ＰＲＢ）が配置される。【００４３】
上りリンクの各サブフレームには、少なくとも、上りリンク制御チャネル（ＰＵＣＣＨ）、下りリンク共有チャネル（ＰＵＳＣＨ）、上りリンク制御チャネル（ＰＵＣＣＨ）および上りリンク共有チャネル（ＰＵＳＣＨ）の伝搬路推定に用いる上りリンクパイロットチャネルが配置される。尚、上りリンク制御チャネルはシステム帯域幅の両端の物理リソースブロックＰＲＢペアから配置され、上りリンク共有チャネルは残りの物理リソースブロックＰＲＢペアに配置され、移動局装置において上りリンク制御チャネルと上りリンク共有チャネルとは一緒に送信されないようになっている。上りリンクパイロットチャネルについては、説明の簡略化のため図４においては図示を省略しているが、上りリンクパイロットチャネルは、上りリンク共有チャネルおよび上りリンク制御チャネルと時間多重されている。【００４４】
上りリンク共有チャネル（ＰＵＳＣＨ）では、上りリンク共有チャネル（ＰＵＳＣＨ）で送信するデータ（トランスポートブロック；Transport Block）から、予め決められた生成多項式を用いて生成する２４ｂｉｔの巡回冗長検査（ＣＲＣ）符号をデータに付加をしてから、基地局装置に送信する。【００４５】
上りリンク制御チャネル（ＰＵＣＣＨ）では、チャネル・クオリティー・インディケータ（Channel Quality Indicator；ＣＱＩ）、スケジューリング・リクエスト・インディケータ（Scheduling Request Indicator；ＳＲＩ）、下りリンク共有チャネルの巡回冗長検査（ＣＲＣ）に成功したことを示す肯定応答（ACKnowledgement；ＡＣＫ）、下りリンク共有チャネルの巡回冗長検査（ＣＲＣ）に失敗したことを示す否定応答（Non-ACKnowledgement；ＮＡＣＫ）などの上りリンク制御情報（Uplink Control Information；ＵＣＩ）を送信する。肯定応答（ＡＣＫ）と否定応答（ＮＡＣＫ）とは、ＨＡＲＱ（Hybrid Automatic Repeat reQuest）のために用いられる。ＨＡＲＱは、自動再送（Automatic Repeat reQuest；ＡＲＱ）と、ターボ符号化等の誤り訂正符号と、を組み合わせて誤り制御を行う。チェイス合成（Chase Combining；ＣＣ）を用いるＨＡＲＱは、受信パケットに誤りが検出されると、全く同一のパケットの再送を要求する。これらの２つの受信パケットを合成することにより、受信品質を高めている。増加冗長（Incremental Redundancy；ＩＲ）を用いるＨＡＲＱは、冗長ビットを分割し、分割したビットに分けて少しずつ順次再送するため、再送回数が増えるに従って符号化率を低下させることにより、誤り訂正能力を強化している。【００４６】
また、上りリンク制御チャネル（ＰＵＣＣＨ）はスロット間ホッピングを行なっており、サブフレームの始めのスロットにおいて、上りリンク制御チャネル（ＰＵＣＣＨ）の送信に用いた物理リソースブロック（ＰＲＢ）に付された番号＃ｍ（ｍ＝０、１、２、３）と同じ番号が付された物理リソースブロック（ＰＲＢ）を２番目のスロットでも用いる。また、上りリンク制御チャネル（ＰＵＣＣＨ）で送信する上りリンク制御情報（ＤＣＩ）には、時間領域の巡回シフトと直交符号系列による２段階の符号拡散が行なわれ、複数の移動局装置２（２ａ、２ｂ、…）からの複数の上りリンク制御情報（ＤＣＩ）が同一物理リソースブロック（ＰＲＢ）に多重される。【００４７】
（肯定応答/否定応答の構成）
図５は、肯定応答（ＡＣＫ）／否定応答（ＮＡＣＫ）と上りリンクパイロットチャネルの符号拡散について説明するための原理図である。図５の下方の図において、横軸は時間領域、縦軸は周波数領域であり、符号３７は１つの物理リソースブロック（ＰＲＢ）を示している。移動局装置２（２ａ、２ｂ、…）は、周波数領域において、時間領域と周波数領域とにおいて一定振幅（Constant Amplitude）で、０以外の時間ずれに対して、周期的自己相関値が常に０（Zero Auto-Correlation）となる、系列長が１２の直交符号系列を生成する。この直交符号系列に対して、位相の回転を加えることで、巡回シフト系列を生成する。【００４８】
すなわち、直交符号系列１１に位相回転を加えてからＩＦＦＴをすることで、時間領域においては巡回シフト１５されることになる。生成した巡回シフト系列に、ＢＰＳＫやＱＰＳＫなどで変調した肯定応答（ＡＣＫ）／否定応答（ＮＡＣＫ）１７を乗算器２３ａから２３ｄにより乗算してから４つに複製し、物理リソースブロック（ＰＲＢ）の１番目と２番目と６番目と７番目のＤＦＴ―Ｓｐｒｅａｄ  ＯＦＤＭシンボルのリソースエレメントの周波数低い方から順番に配置する。前記４つに複製した巡回シフト系列に対して、系列長が４の直交符号系列を時間領域において各リソースエレメントに乗算することで、時間領域の巡回シフトと直交符号系列による２段階の符号拡散を行なう。【００４９】
上りリンクパイロットチャネルの場合は、肯定応答（ＡＣＫ）／否定応答（ＮＡＣＫ）と同様に、周波数領域において、系列長が１２の直交符号系列に対して、位相の回転を加えることで、巡回シフト系列を生成する（３１）。生成した巡回シフト系列を３つに複製し、物理リソースブロック（ＰＲＢ）の３番目と４番目と５番目のＤＦＴ―Ｓｐｒｅａｄ  ＯＦＤＭシンボルのリソースエレメントに配置し、前記３つに複製した巡回シフト系列に対して、系列長が３の直交符号系列を各リソースエレメントに乗算器３５ａから３５ｃにより乗算することにより、時間領域の巡回シフトと直交符号系列による２段階の符号拡散とを行なう。上記の処理を、時間領域と周波数領域の直交符号系列各々と時間領域の巡回シフトを変えながら、スロット毎に行なう。【００５０】
上りリンクパイロットチャネルと肯定応答（ＡＣＫ）／否定応答（ＮＡＣＫ）に乗算する、時間領域における直交符号系列各々は３種類の中から１つを選択する。また、時間領域における巡回シフトをするための、位相回転の量は３０度単位で選択するため、全部で１２通りある。従って、時間領域における巡回シフトと直交符号系列を組み合わせることで、１つの物理リソースブロック（ＰＲＢ）に最大で３６の上りリンクパイロットチャネルと肯定応答（ＡＣＫ）／否定応答（ＮＡＣＫ）とを符号多重することができる。また、位相回転の量は、６０度単位、９０度単位で選択してもよく、その場合、１つの物理リソースブロックに１８と１２との上りリンクパイロットチャネルと肯定応答（ＡＣＫ）／否定応答（ＮＡＣＫ）とを符号多重することができる。【００５１】
（第一の実施形態）
図６は、本実施形態における基地局装置１の概略構成例を示す機能ブロック図である。図６に示すように、基地局装置１は、上位層４１、制御部４３、複数の受信アンテナ４５ｎ（ｎ＝１、２、…）、受信処理部４７、多重分離部５１、変調シンボル復号部５３、変調シンボル生成部５５、多重部５７、送信処理部６１、複数の送信アンテナ６３ｍ（ｍ＝１、２、…）を具備する。変調シンボル生成部５５、多重部５７、送信処理部６１、制御部４３、上位層４１および送信アンテナ４５ｎで送信部を構成している。また、変調シンボル復号部５３、多重分離部５１、受信処理部４７、制御部４３、上位層４１および受信アンテナ４５ｎで受信部を構成している。上位層４１には、無線リソース制御部４１ａが設けられている。【００５２】
変調シンボル生成部５５は、下りリンクの各チャネルで送信する情報を制御部４３から取得し、下りリンク共有チャネル（ＰＤＳＣＨ）で送信する情報から巡回冗長検査（ＣＲＣ）符号を生成し、巡回冗長検査（ＣＲＣ）符号を付加し、また、下りリンク制御チャネル（ＰＤＣＣＨ）で送信する情報から巡回冗長検査（ＣＲＣ）符号を生成し、下りリンク制御チャネル（ＰＤＣＣＨ）を送信する移動局装置に割り当てた識別子（ＲＮＴＩ）と巡回冗長検査（ＣＲＣ）符号との排他的論理和をとった情報を付加し、制御部４３から入力される制御信号に基づいて、取得した情報および巡回冗長検査（ＣＲＣ）符号を付加した情報をターボ符号または畳込み符号で誤り訂正符号化し、４相位相偏移変調（Quadrature Phase Shift Keying；ＱＰＳＫ）、１６値直交振幅変調（１６Quadrature Amplitude Modulation；１６ＱＡＭ）、６４値直交振幅変調（６４Quadrature Amplitude Modulation；６４ＱＡＭ）等のような変調方式により、誤り訂正符号化されたデータを変調して、変調シンボルを生成し、多重部５７へ出力する。【００５３】
多重部５７は、変調シンボル生成部５５から入力された変調シンボルを、制御部４３からの制御信号に基づいて、下りリンクのサブフレームのリソースエレメントに多重し、送信処理部６１へ出力する。送信処理部６１は、多重部５７から入力された変調シンボルを高速逆フーリエ変換（Inverse Fast Fourier Transform；ＩＦＦＴ）して、ＯＦＤＭ方式の変調を行い、ＯＦＤＭ変調されたＯＦＤＭシンボルにガードインターバル（Guard Interval；ＧＩ）を付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナ６３ｍに出力して送信する。【００５４】
受信処理部４７は、受信アンテナ４５ｎを介して増幅し、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換し、ディジタル信号からガードインターバルに相当する部分を除去し、ガードインターバルを除去した信号を高速フーリエ変換し、ＤＦＴ―Ｓｐｒｅａｄ  ＯＦＤＭ方式の復調を行う。【００５５】
多重分離部５１は、制御部４３からの制御信号に基づき、受信処理部４７がＤＦＴ―Ｓｐｒｅａｄ  ＯＦＤＭ方式により復調した受信信号から上りリンク制御チャネル（ＰＵＣＣＨ）、上りリンク共有チャネル（ＰＵＳＣＨ）、上りリンクパイロットチャネルをリソースエレメントから抽出する。上りリンク制御チャネル（ＰＵＣＣＨ）、上りリンク共有チャネル（ＰＵＳＣＨ）を、上りリンクパイロットチャネルを用いて伝搬路補償をし、変調シンボル復号部５３に出力する。【００５６】
変調シンボル復号部５３は、制御部４３からの制御信号に基づき、多重分離部５１から入力された上りリンク制御チャネル（ＰＵＣＣＨ）に対して、拡散符号、直交符号系列で逆拡散し、符号拡散された上りリンク制御チャネル（ＰＵＣＣＨ）を復号する。また、上りリンク制御チャネル（ＰＵＣＣＨ）、上りリンク共有チャネル（ＰＵＳＣＨ）に対して、ＱＰＳＫ、１６ＱＡＭ、６４ＱＡＭ等のような復調方式で復調し、誤り訂正復号をし、制御部４３へ出力する。【００５７】
制御部４３は、下りリンクおよび上りリンクのスケジューリング（ＨＡＲＱ処理、送信モードの選択、無線リソースの割当など）などを行なう。制御部４３は、受信処理部４７、多重分離部５１、変調シンボル復号部５３、変調シンボル生成部５５、多重部５７および送信処理部６１を制御するために制御信号を各ブロックに送信しているが、図示しない。制御部４３は、上位層から入力された制御信号、移動局装置からのスケジューリングリクエストインディケータ（ＳＲＩ）、下りリンク共有チャネル（ＰＤＳＣＨ）に対する肯定応答（ＡＣＫ）／否定応答（ＮＡＣＫ）などに基づき、上りリンクおよび下りリンクの各データの無線リソース割り当てと変調方式と符号化方式の選定処理、ＨＡＲＱにおける再送制御、各ブロックの制御に使用される制御信号の生成を行う。また、制御部４３は、上りリンク共有チャネル（ＰＵＳＣＨ）と下りリンク共有チャネル（ＰＤＳＣＨ）のスケジューリング結果を示す上りリンク割当情報と下りリンク割当情報を生成し、上位層から入力された下りリンクで送信するデータとともに、変調シンボル生成部５５へ出力する。また、制御部４３は、変調シンボル復号部５３から入力された上りリンクで取得した情報を、必要に応じて処理した後、上位層へ出力する。【００５８】
上位層４１は、パケットデータ統合プロトコル（Packet Data Convergence Protocol；ＰＤＣＰ）層、無線リンク制御（Radio Link Control；ＲＬＣ）層、無線リソース制御（Radio Resource Control；ＲＲＣ）層の処理を行う。上位層４１は、制御部４３、受信処理部４７、多重分離部５１、変調シンボル復号部５３、変調シンボル生成部５５、多重部５７および送信処理部６１を制御するために制御信号を各ブロックに送信している。上位層４１は、無線リソース制御部４１ａを有している。無線リソース制御部４１ａは、各種設定情報の管理、各移動局装置の通信状態の管理、移動局装置ごとのバッファ状況の管理、識別子（ＲＮＴＩ）の管理などを行っている。また、上位層４１は、上りリンク共有チャネル（ＰＵＳＣＨ）に付加された巡回冗長検査（ＣＲＣ）符号を用いて巡回冗長検査（ＣＲＣ）を行い、正誤を確認し、確認結果として肯定応答（ＡＣＫ）または否定応答（ＮＡＣＫ）を生成し、制御部４３へ出力する。【００５９】
図７は、本実施形態における移動局装置２の一構成例を示す機能ブロック図である。図７に示すように、移動局装置２は、上位層７１、制御部７３、複数の受信アンテナ７５（ｌ＝１，２、…）、受信処理部７７、多重分離部８１、変調シンボル復号部８５、変調シンボル生成部８７、多重部９１、送信処理部９３、複数の送信アンテナ９５ｋ（ｋ＝１、２、…）を具備する。変調シンボル生成部８７、多重部９１、送信処理部９３、制御部７３、上位層７１および送信アンテナ９５ｋで送信部を構成している。また、変調シンボル復号部８５、多重分離部８１、受信処理部７７、制御部７３、上位層７１および受信アンテナ７５ｋで受信部を構成している。【００６０】
変調シンボル生成部８７は、上りリンクの各チャネルで送信する情報を制御部７３から取得し、上りリンク共有チャネル（ＰＵＳＣＨ）で送信する情報から巡回冗長検査（ＣＲＣ）符号を生成し、巡回冗長検査（ＣＲＣ）符号を付加し、制御部７３から入力される制御信号に基づいて、巡回冗長検査（ＣＲＣ）符号を付加した情報をターボ符号または畳込み符号などで誤り訂正符号化し、ＱＰＳＫ、１６ＱＡＭ、６４ＱＡＭ等のような変調方式で、誤り訂正符号化されたデータを変調して、変調シンボルを生成し、多重部へ出力する。また、上りリンク制御チャネル（ＰＵＣＣＨ）は、図５で示すような、符号拡散を行ない、多重部９１へ出力する。【００６１】
多重部９１は、変調シンボル生成部８７から入力された変調シンボルを、制御部７３からの制御信号に基づいて、上りリンクのサブフレームのリソースエレメントに多重し、送信処理部９３へ出力する。【００６２】
送信処理部９３は、多重部９１から入力された変調シンボルを高速逆フーリエ変換（ＩＦＦＴ）して、ＤＦＴ−Ｓｐｒｅａｄ  ＯＦＤＭ方式の変調を行い、ＤＦＴ−Ｓｐｒｅａｄ ＯＦＤＭ変調されたＤＦＴ−Ｓｐｒｅａｄ  ＯＦＤＭシンボルにガードインターバルを付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。【００６３】
受信処理部７７は、受信アンテナ７５を介して増幅し、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換し、ディジタル信号からガードインターバルに相当する部分を除去し、ガードインターバルを除去した信号を高速フーリエ変換し、ＯＦＤＭ方式の復調を行う。【００６４】
多重分離部８１は、制御部７３からの制御信号に基づき、受信処理部７７がＯＦＤＭ方式により復調した受信信号から下りリンク制御チャネル（ＰＤＣＣＨ）、下りリンク共有チャネル（ＰＤＳＣＨ）、下りリンクパイロットチャネルをリソースエレメントから抽出する。下りリンク制御チャネル（ＰＤＣＣＨ）、下りリンク共有チャネル（ＰＤＳＣＨ）を、下りリンクパイロットチャネルを用いて伝搬路補償をし、変調シンボル復号部８５に出力する。【００６５】
変調シンボル復号部８５は、制御部７３からの制御信号に基づき、多重分離部８１から入力された下りリンク制御チャネル（ＰＤＣＣＨ）、下りリンク共有チャネル（ＰＤＳＣＨ）に対して、ＱＰＳＫ、１６ＱＡＭ、６４ＱＡＭ等のような復調方式で復調し、誤り訂正復号をし、制御部７３へ出力する。【００６６】
制御部７３は、下りリンクおよび上りリンクのスケジューリング（ＨＡＲＱ処理、送信モードの選択、無線リソースの割当など）などを行なう。制御部７３は、受信処理部７７、多重分離部８１、変調シンボル復号部８５、変調シンボル生成部８７、多重部９１および送信処理部９３を制御するために制御信号を各ブロックに送信している。制御部７３は、上位層７１から入力された制御信号、基地局装置１からの上りリンク割当情報および下りリンク割当情報、上りリンク共有チャネルに対する肯定応答（ＡＣＫ）／否定応答（ＮＡＣＫ）などに基づき、上りリンクおよび下りリンクの各データの無線リソース割り当てと変調方式と符号化方式の選定処理、ＨＡＲＱにおける再送制御、各ブロックの制御に使用される制御信号の生成を行う。また、制御部７３は、上位層７１から入力された上りリンクで送信するデータを変調シンボル生成部８７へ出力する。また、制御部７３は、変調シンボル復号部８５から入力された下りリンクで取得した情報を、必要に応じて処理した後、上位層７１へ出力する。【００６７】
上位層７１は、パケットデータ統合プロトコル（ＰＤＣＰ）層、無線リンク制御（ＲＬＣ）層、無線リソース制御（ＲＲＣ）層の処理を行う。上位層７１は、制御部７３、受信処理部７７、多重分離部８１、変調シンボル復号部８５、変調シンボル生成部８７、多重部９１および送信処理部９３を制御するために制御信号を各ブロックに送信している。上位層７１は、無線リソース制御部７１ａを有している。無線リソース制御部７１ａは、各種設定情報の管理、自移動局装置の通信状態およびバッファ状況の管理、識別子（ＲＮＴＩ）の管理などを行っている。また、上位層７１は、下りリンク制御チャネル（ＰＤＣＣＨ）、下りリンク共有チャネル（ＰＤＳＣＨ）に付加された巡回冗長検査（ＣＲＣ）符号を用いて巡回冗長検査（ＣＲＣ）を行い、正誤を確認する。下りリンク共有チャネル（ＰＤＳＣＨ）の巡回冗長検査（ＣＲＣ）の確認結果として肯定応答（ＡＣＫ）または否定応答（ＮＡＣＫ）を生成し、制御部７３へ出力する。【００６８】
以上、図面を用いて本実施形態の基地局装置１と移動局装置２との構成と概略について説明してきたが、以下においては、本実施形態について更に詳細な説明をする。【００６９】
基地局装置１は、移動局装置２に向けたデータを下りリンク共有チャネル（ＰＤＳＣＨ）で送信し、該下りリンク共有チャネル（ＰＤＳＣＨ）のスケジューリング結果を示す下りリンク割当情報を、該下りリンク共有チャネル（ＰＤＳＣＨ）を送信したのと同一サブフレームの下りリンク制御チャネル（ＰＤＣＣＨ）で送信する。【００７０】
移動局装置２は、サブフレーム毎に下りリンク制御チャネルの各制御チャネルエレメント集合を監視し、下りリンク割当情報の復調、復号、巡回冗長検査（ＣＲＣ）に成功すると、該下りリンク割当情報に従って、該下りリンク割り当て情報を復号したのと同一のサブフレームの下りリンク共有チャネル（ＰＤＳＣＨ）を抽出し、復調、復号、巡回冗長検査（ＣＲＣ）を行なう。下りリンク共有チャネル（ＰＤＳＣＨ）の巡回冗長検査に成功した場合、肯定応答（ＡＣＫ）を、失敗した場合、否定応答（ＮＡＣＫ）を生成する。【００７１】
移動局装置２は、肯定応答（ＡＣＫ）／否定応答（ＮＡＣＫ）に送信ダイバーシチを用いて送信するために、図５で説明した処理を行い、肯定応答（ＡＣＫ）／否定応答（ＮＡＣＫ）と上りリンクパイロットシグナルを符号拡散した信号を、送信アンテナの数だけ生成する。図５において、周波数領域における直交符号系列は、送信アンテナ間で同一で、スロット毎に異なる直交符号系列を用いる。また、肯定応答（ＡＣＫ）／否定応答（ＮＡＣＫ）を配置する物理リソースブロック（ＰＲＢ）と、周波数領域における直交符号系列に与える巡回シフトの量と、上りリンク制御チャネル（ＰＵＣＣＨ）と上りリンクパイロットチャネルの各リソースエレメントに乗算する時間領域における直交符号系列の組み合わせは、送信アンテナ毎に異なるようにする。移動局装置２は、前記異なる拡散符号で符号拡散した信号を、各々の信号が対応する物理リソースブロックに配置し、各々の信号が対応する送信アンテナを介して送信する。【００７２】
送信アンテナで用いる、物理リソースブロック（ＰＲＢ）と、肯定応答（ＡＣＫ）／否定応答（ＮＡＣＫ）と上りリンクパイロットチャネルに対する、時間領域における巡回シフトの量と直交符号系列の組み合わせは、肯定応答（ＡＣＫ）／否定応答（ＮＡＣＫ）が対応する下りリンク共有チャネル（ＰＤＳＣＨ）のスケジューリング結果を示す下りリンク割当情報の送信に用いられた制御チャネルエレメント（ＣＣＥ）の番号に、基地局装置１が報知しているオフセットの値を足し合わせた値を各関数に入力することで一意に求まる。上記関数に入力する制御チャネルエレメント（ＣＣＥ）番号が異なる場合、物理リソースブロック（ＰＲＢ）と、時間領域における巡回シフトの量と直交符号系列の組み合せは異なったものになる。【００７３】
以下、図３を参照しながら、２本の送信アンテナで物理リソースブロック（ＰＲＢ）と、時間領域における巡回シフトの量と直交符号系列の異なる組み合わせを求いて肯定応答（ＡＣＫ）／否定応答（ＮＡＣＫ）を送信する際の、各送信アンテナに適用する物理リソースブロック（ＰＲＢ）と、時間領域における巡回シフトの量と直交符号系列の組み合わせを求めるための、制御チャネルエレメント番号の選択方法について説明する。【００７４】
移動局装置２は、下りリンク割当情報を検出した制御チャネルエレメント（ＣＣＥ）のうち、最も小さい制御チャネルエレメント（ＣＣＥ）番号と２番目に小さい制御チャネルエレメント（ＣＣＥ）番号（最も小さい制御チャネルエレメント（ＣＣＥ）番号より１つ大きい番号）を選択し、これらの２つの制御チャネルエレメント（ＣＣＥ）番号に、基地局装置１が報知しているオフセットの値を足し合わせた値を基に、各送信アンテナに適用する物理リソースブロック（ＰＲＢ）と、時間領域における巡回シフトの量と直交符号系列の組み合わせを２つ求める。【００７５】
基地局装置１が報知しているオフセットの値を足し合わせた値から求まる物理リソースブロック（ＰＲＢ）と、時間領域における巡回シフトの量と直交符号系列の組み合わせを各送信アンテナに適用する場合に、具体的にはどのようにして物理リソースブロック（ＰＲＢ）と、時間領域における巡回シフトの量と直交符号系列の組み合わせ求め、それをアンテナに適用するかについて説明する。【００７６】
図３において、制御チャネルエレメント集合は、制御チャネルエレメント集合の上にある制御チャネルエレメントから構成されていることを表している。【００７７】
つまり、図３の一番左の制御チャネルエレメント集合数が１のものは制御チャネルエレメント１から構成されており、図３の一番左の制御チャネルエレメント集合数が２のものは制御チャネルエレメント１と２とから構成されており、図３の一番左の制御チャネルエレメント集合数が４のものは制御チャネルエレメント１と２と３と４から構成されており、図の一番左の制御チャネルエレメント集合数が８のものは制御チャネルエレメント１と２と３と４と５と６と７と８から構成されていることを示している。【００７８】
例えば、制御チャネルエレメント（ＣＣＥ）番号が５、６、７、８の制御チャネルエレメント（ＣＣＥ）で、下りリンク割当情報を検出した場合に、５から８までの制御チャネルエレメント（ＣＣＥ）番号のうちの最も小さい制御チャネルエレメント（ＣＣＥ）番号と２番目に小さい制御チャネルエレメント（ＣＣＥ）番号である５と６とに、基地局装置１が報知しているオフセットの値を足し合わせた値から求まる物理リソースブロック（ＰＲＢ）と、時間領域における巡回シフトの量と直交符号系列の組み合わせを各送信アンテナに適用する。【００７９】
以下、移動局装置が選択した制御チャネルエレメント（ＣＣＥ）番号から、物理リソースブロック（ＰＲＢ）と、時間領域における巡回シフトの量と直交符号系列の組み合わせを求める方法の、一例を示す。尚、ここでは、ＣＱＩを含めると式が複雑になるため、肯定応答（ＡＣＫ）／否定応答（ＮＡＣＫ）しか上りリンク制御チャネル（PUCCH）がないことを想定して、簡略化した式にで説明している。【００８０】
移動局装置は、下記の式１から第一の値
2010084901.tif 000003
を求める。式１の右辺の第一項
2010084901.tif 000004
は、移動局装置が選択した制御チャネルエレメントの番号であり、右辺の第二項
2010084901.tif 000005
は、基地局装置が報知している値である。【００８１】
【数１】
2010084901.tif 000006
【００８２】
次に、移動局装置は、下記の式（２）から物理リソースブロック（ＰＲＢ）を求めるための第二の値mを求める。式２の右辺の括弧は切り捨て関数（floor function）を表しており、右辺の分数の分母
2010084901.tif 000007
は、１個の物理リソースブロック（ＰＲＢ）に符号多重することのできる肯定応答（ＡＣＫ）／否定応答（ＮＡＣＫ）の数を表している。
【数２】
2010084901.tif 000008
【００８３】
次に、移動局装置は、式（３）から時間領域における巡回シフトと直交符号系列を求めるための第三の値
2010084901.tif 000009
を求める。式３のmodはモジュロ(modulo)演算子を表しており、
2010084901.tif 000010
は無線フレーム内のスロットの番号（０、１、２、…、１９）を表しており、ｃ（・）の関数は、括弧の中の値を種にして生成する乱数の関数を表している。【００８４】
【数３】
2010084901.tif 000011
【００８５】
例えば、移動局装置が制御チャネルエレメント（ＣＣＥ）番号として５を選択し、基地局装置が
2010084901.tif 000012
を２０と報知し、
2010084901.tif 000013
が１２の場合、移動局装置は、式（１）から
2010084901.tif 000014
を２５と計算し、式（２）からｍを２と計算する。移動局装置は、ｍが２の場合、図４の一番左のサブフレームの＃２の番号が付された物理リソースブロックを選択する。また、移動局装置は、式（３）の右辺の上の式から、スロットの番号が偶数の場合の
2010084901.tif 000015
を１と計算し、式（３）の右辺の下の式に、１つ前のスロットの番号の
2010084901.tif 000016
を用いて、スロットの番号が奇数の場合の
2010084901.tif 000017
を計算し、
2010084901.tif 000018
から時間領域における巡回シフトと直交符号系列をそれぞれ求める。【００８６】
尚、移動局装置は、制御チャネルエレメントの数が１、２、４、８などの複数の場合で下りリンク制御チャネルを監視する。いくつの制御チャネルエレメントを使って下りリンク制御チャネルを送信するかは、基地局装置が決めることであり、移動局装置は、下りリンク制御チャネルを監視した結果、下りリンク割当情報を１つの制御チャネルエレメントで検出したり、複数の制御チャネルエレメントで検出したりすることになる。【００８７】
１つの制御チャネルエレメントで検出した場合は、制御チャネルエレメントの番号が１つしかないので、本発明の範囲には入らない。【００８８】
また、最も小さい番号を選択する理由は、ＬＴＥが最も小さい番号を選択しているため、それと同じものを使ったほうがよいためである。ＬＴＥ−Ａの端末はＬＴＥの基地局とも無線通信をすることができるため、利点がなければ特に変える必要はない。【００８９】
２番目に小さい番号を選択する理由は、制御チャネルエレメント集合数が２、４、８で同じ番号を選択するため簡単だからという理由である。制御チャネルエレメント集合の制御チャネルエレメントの番号を２つ選択すればよいので、最も小さい番号と、最も大きい番号などにしても良い。【００９０】
１つの制御チャネルエレメントで下りリンク割当情報を検出した場合、制御チャネルエレメント（ＣＣＥ）番号が１つしかないため、物理リソースブロック（ＰＲＢ）と、時間領域における巡回シフトの量と直交符号系列の組み合わせが１つしか求められない。従って、送信ダイバーシチを用いることができないため、移動局装置が、送信ダイバーシチを用いて上りリンク共有チャネル（ＰＵＣＣＨ）を送信している場合、基地局装置１は制御チャネルエレメント（ＣＣＥ）集合数が２以上の制御チャネルエレメント（ＣＣＥ）集合でしか下りリンク割当情報を送信せず、移動局装置２は制御チャネルエレメント（ＣＣＥ）集合数が２以上の制御チャネルエレメント（ＣＣＥ）集合でしか、下りリンク割当情報の監視をしない。【００９１】
基地局装置１は、移動局装置２の各送信アンテナから送信された肯定応答（ＡＣＫ）／否定応答（ＮＡＣＫ）と上りリンクパイロットチャネルを受信し、逆拡散し、肯定応答（ＡＣＫ）／否定応答（ＮＡＣＫ）と上りリンクパイロットチャネルを分離し、復調、復号を行う。【００９２】
図８は、本発明の第一の実施形態における移動局装置２における処理の流れを示すフローチャート図である。移動局装置２は、下りリンク制御チャネル（ＰＤＣＣＨ）で、基地局装置からの下りリンク割当情報を受信する（ステップＳ１０）。次に、ステップＳ１０で受信した下りリンク割当情報に従って、下りリンク共有チャネル（ＰＤＳＣＨ）の復調・復号・巡回冗長検査（ＣＲＣ）を行なう（ステップＳ１１）。次に、ステップＳ１２の巡回冗長検査（ＣＲＣ）の結果に従い、肯定応答（ＡＣＫ）および否定応答（ＮＡＣＫ）を生成する（ステップＳ１２）。次に、下りリンク割当情報を受信した制御チャネルエレメント（ＣＣＥ）の番号のうち、最も小さい番号と、２番目に小さい番号を選択する（ステップＳ１３）。次に、選択した番号を基に、物理リソースブロック（ＰＲＢ）と時間領域における巡回シフトと直交符号系列とを送信アンテナ毎に求め、肯定応答（ＡＣＫ）、否定応答（ＮＡＣＫ）、上りリンクパイロットチャネルを符号拡散する（ステップＳ１４）。次に、符号拡散した肯定応答（ＡＣＫ）、否定応答（ＮＡＣＫ）、上りリンクパイロットチャネルを、送信アンテナ毎に求めた物理リソースブロック（ＰＲＢ）に配置し、基地局装置に対して送信する（ステップＳ１５）。【００９３】
例えば、ステップＳ１０において、制御チャネルエレメント（ＣＣＥ）番号が５、６、７、８の制御チャネルエレメント（ＣＣＥ）で、下りリンク割当情報を検出した場合に、ステップＳ１３において、５から８までの制御チャネルエレメント（ＣＣＥ）番号のうちの最も小さい制御チャネルエレメント（ＣＣＥ）番号と２番目に小さい制御チャネルエレメント（ＣＣＥ）番号である５と６とを選択し、ステップＳ１４において、選択した番号５と６を基に、物理リソースブロック（ＰＲＢ）と時間領域における巡回シフトと直交符号系列とを送信アンテナ毎に求める。【００９４】
以上のように、本発明の第一の実施形態による通信技術を用いることで、ＬＴＥと同一のチャネル構造を用い、移動局装置２（ａ〜ｃ）が、無線リソースと時間領域の巡回シフトと直交符号系列の組み合わせを複数選択し、選択した複数の無線リソースと時間領域の巡回シフトと直交符号系列の組み合わせを用いて信号を符号拡散し、複数の送信アンテナから信号を送信することで、送信ダイバーシチゲインを得ることができるようになる。【００９５】
また、ＬＴＥと同一のチャネル構造を用いる理由は、ＬＴＥとＬＴＥ−Ａの移動局装置のＡＣＫ／ＮＡＣＫを同じ物理リソースブロックに何の制限もなく符号多重できるのが利点である。他の送信ダイバーシチの方法では、符号多重に制限が加わり、符号多重できる数が減る。また、全く新しい高低応答（ＡＣＫ）／否定応答（ＮＡＣＫ）の構造にしてしまうと、ＬＴＥとＬＴＥ−ＡのＡＣＫ／ＮＡＣＫが同じ物理リソースブロック（ＰＲＢ）に符号多重できないなどの問題がある。【００９６】
（第二の実施形態）
次に、本発明の第二の実施形態による通信技術について説明を行う。本実施形態は、第一の実施形態において、移動局装置２（例えば２ａ）が、１つの制御チャネルエレメント（ＣＣＥ）で下りリンク割当情報を受信し、下りリンク割当情報を受信した制御チャネルエレメント（ＣＣＥ）の番号を選択し、更に、下りリンク割当情報を受信した制御チャネルエレメント（ＣＣＥ）の番号が特定の値の倍数であるかを判断し、下りリンク割当情報を受信した制御チャネルエレメント（ＣＣＥ）の番号よりも１つ大きい番号を選択するか、１つ小さい値を選択するかを切り替えることで、他の移動局装置２と同じ番号を選択しないようにすることを特徴とする。このようにすることで、肯定応答（ＡＣＫ）／否定応答（ＮＡＣＫ）と上りリンクパイロットチャネルに用いる、物理リソースブロック（ＰＲＢ）と時間領域における巡回シフトと直交符号系列の組み合わせとが、他の移動局装置２（例えば２ｂ、２ｃ）と異なるようにすることができる。第二の実施形態の基地局装置１と移動局装置２の構成自体は、第一の実施形態（図６、図７）と同様であるため、図示を省略する。【００９７】
図３を参照して、第二の実施形態において、移動局装置２が、肯定応答（ＡＣＫ）／否定応答（ＮＡＣＫ）と上りリンクパイロットチャネルに用いる、物理リソースブロック（ＰＲＢ）と、時間領域における巡回シフトの量と直交符号系列と、を求めるための、制御チャネルエレメント（ＣＣＥ）の番号を２つ選択する方法について説明する。【００９８】
移動局装置２が、１）制御チャネルエレメント（ＣＣＥ）の番号が奇数、つまり２の倍数でない番号で下りリンク割当情報を受信した場合、下りリンク割当情報を受信した番号と、下りリンク割当情報を受信した番号よりも１つ大きい番号と、を選択し、２）制御チャネルエレメント（ＣＣＥ）の番号が偶数、つまり２の倍数の番号で下りリンク割当情報を受信した場合、下りリンク割当情報を受信した番号と、下りリンク割当情報を受信した番号よりも１つ小さい番号と、を選択する。【００９９】
例えば、移動局装置が、制御チャネルエレメント（ＣＣＥ）の番号がそれぞれ１番、３番、５番、７番などの奇数の番号で下りリンク割当情報を受信した場合には、それぞれ２番、４番、６番、８番とＣＣＥの番号よりも１つ大きい番号を選択し、２番、４番、６番、８番などの偶数の番号で下りリンク割当情報を受信した場合には、ＣＣＥの番号よりもそれぞれ１番、３番、５番、７番などの１つ小さい番号を選択する。【０１００】
移動局装置２は、制御チャネルエレメントの番号が２の倍数であるか否かにより選択を切り替える方法の代わりに、４の倍数や８の倍数であるか否かにより番号の選択を切り替えるようにしても良い。つまり、移動局装置２が、制御チャネルエレメント（ＣＣＥ）の番号が４の倍数でない番号で下りリンク割当情報を受信した場合には、下りリンク割当情報を受信した番号と、下りリンク割当情報を受信した番号よりも１つ大きい番号を選択し、制御チャネルエレメント（ＣＣＥ）の番号が４の倍数の番号で下りリンク割当情報を受信した場合には、下りリンク割当情報を受信した番号と、下りリンク割当情報を受信した番号よりも１つ小さい番号を選択してもよい。【０１０１】
また、移動局装置２が、制御チャネルエレメント（ＣＣＥ）の番号が８の倍数でない番号で下りリンク割当情報を受信した場合には、下りリンク割当情報を受信した番号と、下りリンク割当情報を受信した番号よりも１つ大きい番号を選択し、制御チャネルエレメント（ＣＣＥ）の番号が８の倍数の番号で下りリンク割当情報を受信した場合には、下りリンク割当情報を受信した番号と、下りリンク割当情報を受信した番号よりも１つ小さい番号を選択するようにしてもよい
図９は、本発明の第二の実施形態における移動局装置２の処理の流れを示すフローチャート図である。まず、移動局装置２は、下りリンク制御チャネル（ＰＤＣＣＨ）で、基地局装置からの下りリンク割当情報を受信する（ステップＳ２０）。次に、受信した下りリンク割当情報に従って、下りリンク共有チャネル（ＰＤＳＣＨ）の復調・復号・巡回冗長検査（ＣＲＣ）を行なう（ステップＳ２１）。次に、巡回冗長検査（ＣＲＣ）の結果に従い、肯定応答（ＡＣＫ）および否定応答（ＮＡＣＫ）を生成する（ステップＳ２２）。次に、下りリンク割当情報が配置されていた制御チャネルエレメント（ＣＣＥ）集合を構成する制御チャネルエレメント（ＣＣＥ）の数を判断する（ステップＳ２３）。制御チャネルエレメント（ＣＣＥ）の数が２以上だった場合には（ステップＳ２３において２以上）、下りリンク割当情報を受信した制御チャネルエレメント（ＣＣＥ）の番号のうち、最も小さい番号と、最も小さい番号より１つ大きい番号を選択する（ステップＳ２５）。次に、選択した番号を基に、物理リソースブロック（ＰＲＢ）と時間領域における巡回シフトと直交符号系列と、を送信アンテナ毎に求め、肯定応答（ＡＣＫ）、否定応答（ＮＡＣＫ）、上りリンクパイロットチャネルを符号拡散する（ステップＳ２７）。【０１０２】
次に、符号拡散した肯定応答（ＡＣＫ）、否定応答（ＮＡＣＫ）、上りリンクパイロットチャネルを、送信アンテナ毎に求めた物理リソースブロック（ＰＲＢ）に配置し、送信する（ステップＳ２８）。ステップＳ２３において、制御チャネルエレメント（ＣＣＥ）の数が１つだった場合（ステップＳ２３で１）、更に、制御チャネルエレメント（ＣＣＥ）番号が特定の数の倍数か否かを判断する（ステップＳ２４）。制御チャネルエレメント（ＣＣＥ）の倍数が、特定の数の倍数であった場合（Ｓ２４−Ｙｅｓ）、下りリンク割当情報を受信した制御チャネルエレメント（ＣＣＥ）の番号と、１つ小さい番号を選択し（ステップＳ２６）、ステップＳ２７に進む。制御チャネルエレメント（ＣＣＥ）の倍数が、特定の数の倍数でなかった場合（Ｓ２４−Ｎｏ）、ステップＳ２５に進む。【０１０３】
尚、特定の数は２、４、８のような数であり、１以外の制御チャネルエレメント集合数と同じ数のうち１つである。２、４、８のうちどれを用いるかは、予め決めておく必要がある。【０１０４】
基地局装置は、移動局装置に下りリンク割当情報を送信したわけではないが、移動局装置が選択する番号の制御チャネルエレメント（ＣＣＥ）では、他の移動局装置２に対する下りリンク割当情報を送信しない。もし、そのような番号の制御チャネルエレメント（ＣＣＥ）で下りリンク割当情報を送信してしまうと、複数の移動局装置２が同じ制御チャネルエレメント（ＣＣＥ）の番号を選択してしまうため、同じ物理リソースブロック（ＰＲＢ）と時間領域における巡回シフトと直交符号系列とを用いて肯定応答（ＡＣＫ）／否定応答（ＮＡＣＫ）と上りリンクパイロットチャネルを送信し、干渉を起こしてしまう。【０１０５】
但し、肯定応答（ＡＣＫ）／否定応答（ＮＡＣＫ）を送信する必要のない下りリンク共有チャネル（ＰＤＳＣＨ）に対するスケジューリング結果を示す下りリンク割当情報や上りリンク割当情報や送信電力コマンドの場合は、上記のような問題は生じないので、移動局装置２が選択した番号の制御チャネルエレメント（ＣＣＥ）に配置することができる。【０１０６】
以上に説明したように、本発明の第二の実施形態による通信技術を用いることにより、新たに無線リソースを確保せずに、できる限り下りリンク割当情報の配置に制限を加えることなく、移動局装置２が、下りリンク割当情報を１つの制御チャネルエレメント（ＣＣＥ）で受信した場合でも、無線リソースと時間領域の巡回シフトと直交符号系列との組み合わせを複数選択し、選択した複数の無線リソースと時間領域の巡回シフトと直交符号系列との組み合わせを用いて信号を符号拡散し、複数の送信アンテナから信号を送信することにより、送信ダイバーシチゲインを得ることができるようになる。【０１０７】
（第三の実施形態）
次に、本発明の第三の実施形態について説明する。第三の実施形態は、本発明の第一の実施形態において、下りリンク割当情報を受信した制御チャネルエレメント（ＣＣＥ）の番号を複数選択する代わりに、基地局から通知された値と、下りリンク割当情報を受信した制御チャネルエレメント（ＣＣＥ）の番号とを基に、時間領域における巡回シフトと直交符号系列と物理リソースブロック（ＰＲＢ）とを求めることで、他の移動局装置２に影響を与えずに、肯定応答（ＡＣＫ）／否定応答（ＮＡＣＫ）の送信に送信ダイバーシチが適用するものである。第三の実施形態の基地局装置１と移動局装置２の構成は、第一の実施形態と同様である。【０１０８】
第三の実施形態の基地局装置１は、移動局装置２が肯定応答（ＡＣＫ）／否定応答（ＮＡＣＫ）と上りリンクパイロットチャネルの送信に用いる物理リソースブロック（ＰＲＢ）と時間領域における巡回シフトと直交符号系列とを求めるのに用いる値を各移動局装置に通知してから、下りリンク割当情報を送信することを特徴とする。また、基地局装置１は、複数の移動局装置２が、同じ物理リソースブロック（ＰＲＢ）と時間領域における巡回シフトと直交符号系列を使わないようにするため、各移動局装置２に通知する値は、基地局装置１が報知しているオフセットより小さい値か、オフセットと制御チャネルエレメント（ＣＣＥ）の最大数を足した値より大きい値を通知する。【０１０９】
上記の値を用いる理由は、第一の実施形態と第二の実施形態では、下りリンク割当情報の配置によっては、異なる移動局装置が、肯定応答（ＡＣＫ）／否定応答（ＮＡＣＫ）を、同じ物理リソースブロックと直交符号を用いて送信してしまうという問題があるため、基地局装置がそれを回避するために、下りリンク割当情報の配置が制限されてしまうという問題がある。これに対して、本実施の形態では、上記の値（通知された値）を用いることで、それを完全に回避することができる（第二の実施形態では、ほぼ回避できているが完全ではない）。【０１１０】
第三の実施形態の移動局装置２は、下りリンク割当情報を受信した制御チャネルエレメント（ＣＣＥ）の番号のうち、最も小さい番号を選択し、選択した番号に基地局装置が報知するオフセットを足した値と、基地局装置１から通知された値から、肯定応答（ＡＣＫ）／否定応答（ＮＡＣＫ）と上りリンクパイロットチャネルの送信に用いる物理リソースブロック（ＰＲＢ）と時間領域における巡回シフトと直交符号系列を求める。【０１１１】
例えば、基地局装置１が、オフセットとして２０を報知し、移動局装置に４を通知し、移動局装置２に対する下りリンク割当情報を制御チャネルエレメント（ＣＣＥ）番号が５と６の制御チャネルエレメントで送信した場合、移動局装置２は、制御チャネルエレメント（ＣＣＥ）番号の５を選択し、選択した番号５にオフセット２０を足した値２５と、通知された値４から、肯定応答（ＡＣＫ）／否定応答（ＮＡＣＫ）と上りリンクパイロットチャネルの送信に用いる物理リソースブロック（ＰＲＢ）と時間領域における巡回シフトと直交符号系列を求める。【０１１２】
物理リソースブロック（ＰＲＢ）と時間領域における巡回シフトと直行符号系列を求める手順については、上記の第一の実施形態において式を用いて説明した手順と同様であるため、ここでは説明を省略する。【０１１３】
図１０は、本発明の第三の実施形態における移動局装置２における処理の流れを示すフローチャート図である。まず、移動局装置２は、基地局装置１から通知される値を受信する（ステップＳ３０）。次に、下りリンク制御チャネル（ＰＤＣＣＨ）で、基地局装置から下りリンク割当情報を受信する（ステップＳ３１）。次に、下りリンク割当情報に従って、下りリンク共有チャネル（ＰＤＳＣＨ）の復調・復号・巡回冗長検査（ＣＲＣ）を行なう（ステップＳ３２）。次に、巡回冗長検査（ＣＲＣ）の結果に従い、肯定応答（ＡＣＫ）および否定応答（ＮＡＣＫ）を生成する（ステップＳ３３）。次に、下りリンク割当情報を受信した制御チャネルエレメント（ＣＣＥ）の番号のうち、最も小さい番号を選択する（ステップＳ３４）。次に、通知された値と選択した番号とを基に、物理リソースブロック（ＰＲＢ）と時間領域における巡回シフトと直交符号系列とを送信アンテナ毎に求め、肯定応答（ＡＣＫ）、否定応答（ＮＡＣＫ）、上りリンクパイロットチャネルを符号拡散する（ステップＳ３５）。次に、符号拡散した肯定応答（ＡＣＫ）、否定応答（ＮＡＣＫ）、上りリンクパイロットチャネルを、送信アンテナ毎に求めた物理リソースブロック（ＰＲＢ）に配置し、送信する（ステップＳ３６）。【０１１４】
本発明の第三の実施形態によれば、新たに肯定応答（ＡＣＫ）／否定応答（ＮＡＣＫ）のための無線リソースを消費するが、下りリンク割当情報の配置に制限を加えることなく、移動局装置２が、下りリンク割当情報を１つまたはそれ以上の制御チャネルエレメント（ＣＣＥ）で受信した場合に、無線リソースと時間領域の巡回シフトと直交符号系列の組み合わせを複数選択し、選択した複数の無線リソースと時間領域の巡回シフトと直交符号系列の組み合わせを用いて信号を符号拡散し、複数の送信アンテナから信号を送信することで、送信ダイバーシチゲインを得ることができるようになる。【０１１５】
尚、本発明の第一の実施形態、第二の実施形態および第三の実施形態では、物理リソースブロック（ＰＲＢ）と時間領域における巡回シフトと直交符号系列の組み合わせを送信アンテナ毎に適用したが、複数の送信アンテナから、複数の送信アンテナのグループを構成し、送信アンテナのグループ毎に物理リソースブロック（ＰＲＢ）と時間領域における巡回シフトと直行符号系列を適用してもよい。例えば、第一の送信アンテナと第二の送信アンテナから第一の送信アンテナグループを、第三の送信アンテナと第四の送信アンテナから第二の送信アンテナグループを構成し、第一の送信アンテナグループと第二の送信アンテナグループ各々に物理リソースブロック（ＰＲＢ）と時間領域における巡回シフトと直行符号系列の異なる組み合わせを適用するようにしてもよい。【０１１６】
本発明に関わる基地局装置１および移動局装置２で動作するプログラムは、本発明に関わる上記実施形態の機能を実現するように、ＣＰＵ（Central Processing Unit）等を制御するプログラム（コンピュータを機能させるプログラム）である。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。【０１１７】
また、図６における上位層、制御部、受信アンテナ、受信処理部、多重分離部、変調シンボル復号部、変調シンボル生成部、多重部、送信処理部、送信アンテナ、および、図７における上位層、制御部、受信アンテナ、受信処理部、多重分離部、変調シンボル復号部、変調シンボル生成部、多重部、送信処理部、送信アンテナの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。【０１１８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１１９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１２０】
本発明は、通信装置に利用可能である。
【図１】
2010084901.tif 000019
【図２】
2010084901.tif 000020
【図３】
2010084901.tif 000021
【図４】
2010084901.tif 000022
【図５】
2010084901.tif 000023
【図６】
2010084901.tif 000024
【図７】
2010084901.tif 000025
【図８】
2010084901.tif 000026
【図９】
2010084901.tif 000027
【図１０】
2010084901.tif 000028
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
複数の移動局装置と基地局装置とを具備する無線通信システムであって、
前記基地局装置は、データと前記データのスケジューリング結果を示す下りリンク割当情報を送信し、
前記移動局装置は、前記下りリンク割当情報を受信し、前記下りリンク割当情報を受信した、下りリンクの無線リソースを基に、拡散符号と上りリンクの無線リソースとを複数求め、それぞれの拡散符号で前記基地局装置が伝搬路を補償するために用いるパイロットシグナルを符号拡散し、前記複数の上りリンクの無線リソースで、複数の送信アンテナから送信することを特徴とする無線通信システム。
【請求項２】
前記移動局装置は、送信アンテナの数と同じ数だけ、拡散符号と上りリンクの無線リソースとを求めることを特徴とする請求項１に記載の無線通信システム。
【請求項３】
前記下りリンクの無線リソースは、前記下りリンク割当情報の割り当て単位である制御チャネルエレメントであり、
前記移動局装置は、前記下りリンク割当情報を受信した制御チャネルエレメントの番号を基に、複数の番号を選択し、前記複数の番号から求まる複数の拡散符号を用いて、伝搬路を補償するために用いるパイロットシグナルを符号拡散し、前記複数の番号から求まる無線リソースで、複数の送信アンテナから送信することを特徴とする請求項１に記載の無線通信システム。
【請求項４】
前記移動局装置は、更に、前記データの受信に対するＡＣＫ（肯定応答）／ＮＡＣＫ（否定応答）を、前記複数の番号から求まる複数の拡散符号で符号拡散し、前記複数の番号から求まる無線リソースで、複数の送信アンテナから送信することを特徴とする請求項３に記載の無線通信システム。
【請求項５】
前記拡散符号は、周波数領域に配置する第一の直交符号系列に対して、時間領域における巡回シフトと第二の直交符号系列を用いた二段階の符号拡散を行なう拡散符号であることを特徴とする請求項１から４までのいずれか１項に記載の無線通信システム。
【請求項６】
前記第二の直交符号系列を、ＡＣＫ／ＮＡＣＫに用いる場合は、系列長が４であることを特徴とする請求項５に記載の無線通信システム。
【請求項７】
前記第二の直交符号系列を、パイロットシグナルに用いる場合は、系列長が３であることを特徴とする請求項５に記載の無線通信システム。
【請求項８】
前記第一の直交符号系列の系列長は１２であり、時間領域における巡回シフトは、１２通りある中から１つを選択することを特徴とする請求項５に記載の無線通信システム。
【請求項９】
前記第一の直交符号系列は、送信アンテナ間で同一の直交符号系列を用いることを特徴とする請求項５に記載の無線通信システム。
【請求項１０】
前記第一の直交符号系列は、前半の時間領域と後半の時間領域とで、異なる直交符号系列を用いることを特徴とする請求項９に記載の無線通信システム。
【請求項１１】
前記無線リソースは、前半の時間領域と後半の時間領域で、異なる周波数領域から構成されることを特徴とする請求項３に記載の無線通信システム。
【請求項１２】
前記基地局装置は、更に、前記下りリンク割当情報を２つ以上の制御チャネルエレメントを用いて送信し、
前記移動局装置は、更に、前記２つ以上の制御チャネルエレメントで下りリンク割当情報を監視することを特徴とする請求項３に記載の無線通信システム。
【請求項１３】
前記移動局装置は、更に、前記下りリンク割当情報を１つの制御チャネルエレメントで受信した場合、前記下りリンク割当情報を受信した制御チャネルエレメントの番号が特定の値の倍数であるか否かを判断し、該判断に基づいて、前記下りリンク割当情報を受信した制御チャネルエレメントの番号よりも１つ大きい番号を選択するか、１つ小さい値を選択するかを切り替えることを特徴とする請求項３に記載の無線通信システム。
【請求項１４】
前記移動局装置は、
前記下りリンク割当情報を受信した制御チャネルエレメントの番号が特定の倍数の場合には、前記下りリンク割当情報を受信した制御チャネルエレメントの番号と前記番号よりも１つ大きい番号を選択し、
前記下りリンク割当情報を受信した制御チャネルエレメントの番号が特定の倍数でない場合には、前記下りリンク割当情報を受信した制御チャネルエレメントの番号と前記番号よりも１つ小さい番号を選択することを特徴とする請求項１３に記載の無線通信システム。
【請求項１５】
前記特定の倍数は、２または４または８の倍数であることを特徴とする請求項１３に記載の無線通信システム。
【請求項１６】
前記基地局装置は、更に、拡散方法を選択するための値を前記移動局装置に通知し、
前記移動局装置は、下りリンク割当情報を受信した制御チャネルエレメントの番号を選択し、前記番号から求まる拡散符号と、通知された前記値から求まる拡散方法を用いて、パイロットシグナルを符号拡散し、複数の送信アンテナから送信することを特徴とする請求項３に記載の無線通信システム。
【請求項１７】
データと前記データのスケジューリング結果を示す下りリンク割当情報を移動局装置に送信する基地局装置であって、
前記基地局装置は、前記移動局装置が、前記下りリンク割当情報を受信した下りリンクの無線リソースを基に、複数の拡散符号と上りリンクの無線リソースを選択し、前記拡散符号各々で基地局装置が伝搬路を補償するために用いるパイロットシグナルを符号拡散し、前記複数の上りリンクの無線リソースで、複数の送信アンテナから送信したパイロットシグナルを受信し、
受信した前記パイロットシグナルを逆拡散し、移動局装置の各送信アンテナから送信されたパイロットシグナルを分離することを特徴とする基地局装置。
【請求項１８】
基地局装置が送信した、データと前記データのスケジューリング結果を示す下りリンク割当情報とを受信する移動局装置であって、
前記移動局装置は、前記下りリンク割当情報を受信した下りリンクの無線リソースを基に、複数の拡散符号と上りリンクの無線リソースとを選択し、前記拡散符号各々で基地局装置が伝搬路を補償するために用いるパイロットシグナルを符号拡散し、前記複数の上りリンクの無線リソースで、複数の送信アンテナから送信することを特徴とする移動局装置。
【請求項１９】
データと前記データのスケジューリング結果を示す下りリンク割当情報を基地局装置が移動局装置に送信する無線通信方法であって、
前記移動局装置が、前記下りリンク割当情報を受信した、下りリンクの無線リソースを基に、複数の拡散符号と上りリンクの無線リソースを選択するステップと、
前記拡散符号各々で基地局装置が伝搬路を補償するために用いるパイロットシグナルを符号拡散し、前記複数の上りリンクの無線リソースで、複数の送信アンテナから送信したパイロットシグナルを受信するステップと、
前記パイロットシグナルを逆拡散し、移動局装置の各送信アンテナから送信されたパイロットシグナルを分離するステップと、を有することを特徴とする無線通信方法。
【請求項２０】
基地局装置が送信したデータと前記データのスケジューリング結果を示す下りリンク割当情報を移動局装置が受信する無線通信方法であって、
前記移動局装置が、前記下りリンク割当情報を受信した下りリンクの無線リソースを基に、複数の拡散符号と上りリンクの無線リソースを選択するステップと、
前記拡散符号各々で基地局装置が伝搬路を補償するために用いるパイロットシグナルを符号拡散し、前記複数の上りリンクの無線リソースで、複数の送信アンテナから送信するステップと、を有することを特徴とする無線通信方法。
【請求項２１】
請求項１９又は２０に記載の無線通信方法をコンピュータに実行させるためのプログラム。
【手続補正２】
【補正対象書類名】明細書
【補正対象項目名】００２２
【補正方法】変更
【補正の内容】
【００２２】
本発明は、データと前記データのスケジューリング結果を示す下りリンク割当情報を移動局装置に送信する基地局装置であって、前記基地局装置は、前記移動局装置が、前記下りリンク割当情報を受信した下りリンクの無線リソースを基に、複数の拡散符号と上りリンクの無線リソースを選択し、前記拡散符号各々で基地局装置が伝搬路を補償するために用いるパイロットシグナルを符号拡散し、前記複数の上りリンクの無線リソースで、複数の送信アンテナから送信したパイロットシグナルを受信し、受信した前記パイロットシグナルを逆拡散し、移動局装置の各送信アンテナから送信されたパイロットシグナルを分離することを特徴とする基地局装置であっても良い。
【手続補正３】
【補正対象書類名】明細書
【補正対象項目名】００３０
【補正方法】変更
【補正の内容】
【００３０】
１  基地局装置
２  移動局装置
５３  変調シンボル復号部
５１  多重分離部
４７  受信処理部
４５ｎ  受信アンテナ
４１  上位層
４１ａ  無線リソース制御部
４３  制御部
５５  変調シンボル生成部
５７  多重部
６１  送信処理部
６３ｍ  送信アンテナ
８５  変調シンボル復号部
８１  多重分離部
７７  受信処理部
７５ｌ  受信アンテナ
７１  上位層
７１ａ  無線リソース制御部
７３  制御部
８７  変調シンボル生成部
９１  多重部
９３  送信処理部
９５ｋ  送信アンテナ
【手続補正４】
【補正対象書類名】明細書
【補正対象項目名】００４３
【補正方法】変更
【補正の内容】
【００４３】
上りリンクの各サブフレームには、少なくとも、上りリンク制御チャネル（ＰＵＣＣＨ）、上りリンク共有チャネル（ＰＵＳＣＨ）、上りリンク制御チャネル（ＰＵＣＣＨ）および上りリンク共有チャネル（ＰＵＳＣＨ）の伝搬路推定に用いる上りリンクパイロットチャネルが配置される。尚、上りリンク制御チャネルはシステム帯域幅の両端の物理リソースブロックＰＲＢペアから配置され、上りリンク共有チャネルは残りの物理リソースブロックＰＲＢペアに配置され、移動局装置において上りリンク制御チャネルと上りリンク共有チャネルとは一緒に送信されないようになっている。上りリンクパイロットチャネルについては、説明の簡略化のため図４においては図示を省略しているが、上りリンクパイロットチャネルは、上りリンク共有チャネルおよび上りリンク制御チャネルと時間多重されている。
【手続補正５】
【補正対象書類名】明細書
【補正対象項目名】００４６
【補正方法】変更
【補正の内容】
【００４６】
また、上りリンク制御チャネル（ＰＵＣＣＨ）はスロット間ホッピングを行なっており、サブフレームの始めのスロットにおいて、上りリンク制御チャネル（ＰＵＣＣＨ）の送信に用いた物理リソースブロック（ＰＲＢ）に付された番号＃ｍ（ｍ＝０、１、２、３）と同じ番号が付された物理リソースブロック（ＰＲＢ）を２番目のスロットでも用いる。また、上りリンク制御チャネル（ＰＵＣＣＨ）で送信する上りリンク制御情報（ＵＣＩ）には、時間領域の巡回シフトと直交符号系列による２段階の符号拡散が行なわれ、複数の移動局装置２（２ａ、２ｂ、…）からの複数の上りリンク制御情報（ＵＣＩ）が同一物理リソースブロック（ＰＲＢ）に多重される。
【手続補正６】
【補正対象書類名】明細書
【補正対象項目名】００５１
【補正方法】変更
【補正の内容】
【００５１】
（第一の実施形態）
図６は、本実施形態における基地局装置１の概略構成例を示す機能ブロック図である。図６に示すように、基地局装置１は、上位層４１、制御部４３、複数の受信アンテナ４５ｎ（ｎ＝１、２、…）、受信処理部４７、多重分離部５１、変調シンボル復号部５３、変調シンボル生成部５５、多重部５７、送信処理部６１、複数の送信アンテナ６３ｍ（ｍ＝１、２、…）を具備する。変調シンボル生成部５５、多重部５７、送信処理部６１、制御部４３、上位層４１および送信アンテナ６３ｍで送信部を構成している。また、変調シンボル復号部５３、多重分離部５１、受信処理部４７、制御部４３、上位層４１および受信アンテナ４５ｎで受信部を構成している。上位層４１には、無線リソース制御部４１ａが設けられている。
【手続補正７】
【補正対象書類名】明細書
【補正対象項目名】００５９
【補正方法】変更
【補正の内容】
【００５９】
図７は、本実施形態における移動局装置２の一構成例を示す機能ブロック図である。図７に示すように、移動局装置２は、上位層７１、制御部７３、複数の受信アンテナ７５ｌ（ｌ＝１，２、…）、受信処理部７７、多重分離部８１、変調シンボル復号部８５、変調シンボル生成部８７、多重部９１、送信処理部９３、複数の送信アンテナ９５ｋ（ｋ＝１、２、…）を具備する。変調シンボル生成部８７、多重部９１、送信処理部９３、制御部７３、上位層７１および送信アンテナ９５ｋで送信部を構成している。また、変調シンボル復号部８５、多重分離部８１、受信処理部７７、制御部７３、上位層７１および受信アンテナ７５ｌで受信部を構成している。
【手続補正８】
【補正対象書類名】明細書
【補正対象項目名】００６２
【補正方法】変更
【補正の内容】
【００６２】
送信処理部９３は、多重部９１から入力された変調シンボルを高速逆フーリエ変換（ＩＦＦＴ）して、ＤＦＴ−Ｓｐｒｅａｄ  ＯＦＤＭ方式の変調を行い、ＤＦＴ−Ｓｐｒｅａｄ ＯＦＤＭ変調されたＤＦＴ−Ｓｐｒｅａｄ  ＯＦＤＭシンボルにガードインターバルを付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナ９５ｋに出力して送信する。
【手続補正９】
【補正対象書類名】明細書
【補正対象項目名】００６３
【補正方法】変更
【補正の内容】
【００６３】
受信処理部７７は、受信アンテナ７５ｌを介して増幅し、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換し、ディジタル信号からガードインターバルに相当する部分を除去し、ガードインターバルを除去した信号を高速フーリエ変換し、ＯＦＤＭ方式の復調を行う。
【手続補正１０】
【補正対象書類名】明細書
【補正対象項目名】００９０
【補正方法】変更
【補正の内容】
【００９０】
１つの制御チャネルエレメントで下りリンク割当情報を検出した場合、制御チャネルエレメント（ＣＣＥ）番号が１つしかないため、物理リソースブロック（ＰＲＢ）と、時間領域における巡回シフトの量と直交符号系列の組み合わせが１つしか求められない。従って、送信ダイバーシチを用いることができないため、移動局装置が、送信ダイバーシチを用いて上りリンク制御チャネル（ＰＵＣＣＨ）を送信している場合、基地局装置１は制御チャネルエレメント（ＣＣＥ）集合数が２以上の制御チャネルエレメント（ＣＣＥ）集合でしか下りリンク割当情報を送信せず、移動局装置２は制御チャネルエレメント（ＣＣＥ）集合数が２以上の制御チャネルエレメント（ＣＣＥ）集合でしか、下りリンク割当情報の監視をしない。
【手続補正１１】
【補正対象書類名】明細書
【補正対象項目名】００９５
【補正方法】変更
【補正の内容】
【００９５】
また、ＬＴＥと同一のチャネル構造を用いる理由は、ＬＴＥとＬＴＥ−Ａの移動局装置のＡＣＫ／ＮＡＣＫを同じ物理リソースブロックに何の制限もなく符号多重できるのが利点である。他の送信ダイバーシチの方法では、符号多重に制限が加わり、符号多重できる数が減る。また、全く新しい肯定応答（ＡＣＫ）／否定応答（ＮＡＣＫ）の構造にしてしまうと、ＬＴＥとＬＴＥ−ＡのＡＣＫ／ＮＡＣＫが同じ物理リソースブロック（ＰＲＢ）に符号多重できないなどの問題がある。
【国際調査報告】
2010084901.tif 000029
2010084901.tif 000030